(57)【要約】【目的】  退避レンズ、及びその他関連部材をより効率よく配置・構成することを目的とする。【構成】  本発明の沈胴式レンズ鏡筒は、シャッタ（絞り）Ｓよりも被写体側に複数のレンズ群を備えた沈胴式レンズ鏡筒であって、沈胴させた場合に、前記複数のレンズ群の一部のレンズ群が、他の少なくとも一部のレンズ群と光軸に対し並列に配置されることを特徴する。沈胴させた場合に、絞り部よりも被写体側に位置する前記複数のレンズ群の一部のレンズ群が、他の少なくとも一部のレンズ群と光軸に対し並列に配置されることにより、絞り部よりも被写体側でレンズ鏡筒を光軸方向に薄型化することができる。【選択図】        図１
2006235297.tif 000002
【特許請求の範囲】
【請求項１】
絞り部よりも被写体側に複数のレンズ群を備えた沈胴式レンズ鏡筒であって、
沈胴させた場合に、前記複数のレンズ群の一部のレンズ群が、他の少なくとも一部のレンズ群と光軸に対し並列に配置されることを特徴する沈胴式レンズ鏡筒。
【請求項２】
絞り部と、
前記絞り部よりも被写体側に配置され、沈胴させた場合に、光軸に対し並列に配置される第１と第２のレンズ群と、
を備えたことを特徴する沈胴式レンズ鏡筒。
【請求項３】
前記沈胴式レンズ鏡筒は、さらに、
前記絞り部よりも結像面側に配置された第３のレンズ群と、
光軸に対し、前記第３のレンズ群と並列に配置された、前記絞り部を駆動させる駆動部と、
を備えたことを特徴する請求項２記載の沈胴式レンズ鏡筒。
【請求項４】
前記沈胴式レンズ鏡筒は、さらに、
前記絞り部よりも結像面側に配置された第３のレンズ群と、
光軸に対し、前記第３のレンズ群と並列に配置された、前記第３のレンズ群を光軸方向に駆動させる駆動部と、
を備えたことを特徴する請求項２記載の沈胴式レンズ鏡筒。
【請求項５】
前記沈胴式レンズ鏡筒は、さらに、
前記絞り部よりも結像面側に配置された撮像部と、
光軸に対し、前記撮像部と並列に配置された、前記絞り部を駆動させる駆動部と、
を備えたことを特徴する請求項２記載の沈胴式レンズ鏡筒。
【請求項６】
前記沈胴式レンズ鏡筒は、さらに、
撮像部と、
前記絞り部よりも結像面側に配置された第３のレンズ群と、
光軸に対し、前記撮像部と並列に配置された、前記第３のレンズ群を光軸方向に駆動させる駆動部と、
を備えたことを特徴する請求項２記載の沈胴式レンズ鏡筒。
【発明の詳細な説明】
【技術分野】
【０００１】
本発明は、沈胴式レンズ鏡筒に係り、特に、沈胴タイプのズームレンズを備えたデジタルカメラの沈胴式レンズ鏡筒に関する。
【背景技術】
【０００２】
近年、デジタルカメラにおいてはその携帯性を良くするためカメラの小型・薄型化が望まれている。そのためにはカメラの厚みを決定する主な要素である撮影レンズを小型・薄型化する必要があり、撮影時以外はレンズをカメラボディ内に収納する沈胴タイプのズームレンズが広く採用されている。
【０００３】
しかしながら、各レンズの間隔を詰めて収納する従来の沈胴タイプでは構成レンズの枚数と厚みで収納時の総厚みが決まるため限界があり、また光学ズームの高倍率化のために構成レンズ枚数が増えると更に不利になる。そこで沈胴時に構成レンズの一部を光軸外に退避させて他のレンズと光軸方向に重複させることにより収納時の厚みを薄くする方法が考案されている。
例えば、沈胴タイプのズームレンズを備えたデジタルカメラの沈胴式レンズ鏡筒において、レンズと共に光軸方向に移動する絞り（シャッタ）より後方（結像面側）に複数のレンズ群を備え、レンズ沈胴時に、絞りより後方のレンズの一部を光軸外に退避させ、最後方レンズや撮像素子と並列に配置して光軸方向に重複させる技術が開示されている（例えば、特許文献１参照）。或いは、複数のレンズ群を備えたカメラにおいて、光軸方向に移動しない最後方レンズを光軸外に退避させ、前方（被写体側）のレンズ群を沈胴させ、前方（被写体側）のレンズ群に対し、退避させた最後方レンズが並列に配置されるように光軸方向に重複させる技術が開示されている（例えば、特許文献２参照）。
【０００４】
その他、レンズの退避ではないが、光学フィルタを光軸外に退避させる技術が開示されている（例えば、特許文献３参照）。
【特許文献１】特開２００３−３１５８６１号公報
【特許文献２】特開２００３−１４９７２３号公報
【特許文献３】特開２００４−１４５０２９号公報
【発明の開示】
【発明が解決しようとする課題】
【０００５】
しかしながら、レンズと共に光軸方向に移動する絞り（シャッタ）より後方のレンズの一部を光軸外に退避させる構成では、絞りより後方の空間をレンズ退避のため空けておかなければならない。これでは、絞り（シャッタ）用の駆動機器やフォーカシングを行う最後方レンズや撮像素子等を駆動させる駆動機器等を配置するために別途、空間が必要となり、カメラの小型化・薄型化に限界があるといった問題があった。同様に、カメラ本体に近い最後方レンズを光軸外に退避させる構成では、同様に、最後方レンズを退避させるためにカメラ本体の空間或いはカメラ本体に近い空間を空けておかなければならず、駆動機器等を配置するために別途、空間が必要となり、カメラの小型化・薄型化に限界があるといった問題があった。
【０００６】
本発明は係る事情に鑑みてなされたものであって、退避レンズ、及びその他関連部材をより効率よく配置・構成することができる沈胴式レンズ鏡筒を提供することを目的とする。
【課題を解決するための手段】
【０００７】
本発明の沈胴式レンズ鏡筒は、
絞り部よりも被写体側に複数のレンズ群を備えた沈胴式レンズ鏡筒であって、
沈胴させた場合に、前記複数のレンズ群の一部のレンズ群が、他の少なくとも一部のレンズ群と光軸に対し並列に配置されることを特徴する。
【０００８】
沈胴させた場合に、絞り部よりも被写体側に位置する前記複数のレンズ群の一部のレンズ群が、他の少なくとも一部のレンズ群と光軸に対し並列に配置されることにより、絞り部よりも被写体側でレンズ鏡筒を光軸方向に薄型化することができる。
【０００９】
言い換えると、本発明の沈胴式レンズ鏡筒は、
絞り部と、
前記絞り部よりも被写体側に配置され、沈胴させた場合に、光軸に対し並列に配置される第１と第２のレンズ群と、
を備えたことを特徴する。
【００１０】
上述したように、絞り部よりも被写体側でレンズ鏡筒を光軸方向に薄型化することができるので、絞り部より結像側の空間をその他の部品を搭載するために使用することができる。
【００１１】
そして、前記沈胴式レンズ鏡筒は、さらに、
前記絞り部よりも結像面側に配置された第３のレンズ群と、
光軸に対し、前記第３のレンズ群と並列に配置された、前記絞り部を駆動させる駆動部と、
を備えたことを特徴する。
【００１２】
上述したように、絞り部より結像面側の空間を空けることができるので、かかる空間に前記絞り部を駆動させる駆動部を前記第３のレンズ群と並列に配置させることができる。並列に配置させることにより、その分、絞り部よりも結像面側でレンズ鏡筒を光軸方向に薄型化することができる。
【００１３】
また、前記沈胴式レンズ鏡筒は、さらに、
前記絞り部よりも結像面側に配置された第３のレンズ群と、
光軸に対し、前記第３のレンズ群と並列に配置された、前記第３のレンズ群を光軸方向に駆動させる駆動部と、
を備えたことを特徴する。
【００１４】
ここでも、上述したように、絞り部より結像側の空間を空けることができるので、かかる空間に前記第３のレンズ群を光軸方向に駆動させる駆動部を前記第３のレンズ群と並列に配置させることができる。並列に配置させることにより、その分、絞り部よりも結像面側でレンズ鏡筒を光軸方向に薄型化することができる。また、ここでは、光軸上に前記第３のレンズ群を配置し、前記絞り部を駆動させる駆動部と前記第３のレンズ群を光軸方向に駆動させる駆動部とを前記第３のレンズ群の両側に配置するように構成するとなお効率的である。
【００１５】
また、前記沈胴式レンズ鏡筒は、さらに、
前記絞り部よりも結像面側に配置された撮像部と、
光軸に対し、前記撮像部と並列に配置された、前記絞り部を駆動させる駆動部と、
を備えたことを特徴する。
【００１６】
ここでも、上述したように、絞り部より結像側の空間を空けることができるので、かかる空間に前記絞り部を駆動させる駆動部を前記撮像部と並列に配置させることができる。並列に配置させることにより、その分、絞り部よりも結像面側でレンズ鏡筒を光軸方向に薄型化することができる。ここでは、前記撮像部と並列に配置させているが、前記第３のレンズ群に対しても並列配置となっていても構わない。前記絞り部を駆動させる駆動部が光軸方向に前記撮像部或いは前記第３のレンズ群よりも長い場合に、前記撮像部および前記第３のレンズ群と並列に配置させるとなお効率的である。
【００１７】
また、前記沈胴式レンズ鏡筒は、さらに、
撮像部と、
前記絞り部よりも結像面側に配置された第３のレンズ群と、
光軸に対し、前記撮像部と並列に配置された、前記第３のレンズ群を光軸方向に駆動させる駆動部と、
を備えたことを特徴する。
【００１８】
ここでも、上述したように、絞り部より結像側の空間を空けることができるので、かかる空間に前記第３のレンズ群を光軸方向に駆動させる駆動部を前記撮像部と並列に配置させることができる。並列に配置させることにより、その分、絞り部よりも結像面側でレンズ鏡筒を光軸方向に薄型化することができる。ここでは、前記第３のレンズ群を光軸方向に駆動させる駆動部を前記撮像部と並列に配置させているが、上述した前記絞り部を駆動させる駆動部と同様、前記第３のレンズ群に対しても並列配置となっていても構わない。前記第３のレンズ群を光軸方向に駆動させる駆動部が光軸方向に前記撮像部或いは前記第３のレンズ群よりも長い場合に、前記撮像部および前記第３のレンズ群と並列に配置させるとなお効率的である。さらに、光軸上に前記撮像部を配置し、前記絞り部を駆動させる駆動部と前記第３のレンズ群を光軸方向に駆動させる駆動部とを前記撮像部の両側に配置するように構成するとなお効率的である。
【発明の効果】
【００１９】
本発明によれば、絞り部よりも被写体側でレンズ鏡筒を光軸方向に薄型化することができるので、絞り部より結像側の空間をその他の部品を搭載するために使用することができる。そして、絞り部より結像側の空間をその他の部品を搭載するために使用することができるので、かかる空間に、絞り用の駆動機器やフォーカシングを行う最後方レンズや撮像素子等を駆動させる駆動機器等を配置することができる。その結果、従来よりもレンズ鏡筒を光軸方向に薄型化することができる。
【発明を実施するための最良の形態】
【００２０】
以下、本発明をデジタルカメラのズームレンズ鏡筒に適用した例を説明する。実施の形態１では、複数のレンズからなるズームレンズの沈胴時にシャッタ（絞り）より前方のレンズの一部を光軸外に退避させ他のレンズと光軸方向に重複させる。そして、シャッタ（絞り）駆動用アクチュエータとフォーカスレンズの駆動用アクチュエータ、及び位置検出用センサーを撮像素子に隣接した位置に配置し薄型化する構成について説明する。
【００２１】
実施の形態１．
図１は、ズームレンズの撮影状態における光軸上断面を示す図である。
図１において、沈胴式レンズ鏡筒の一例であるズームレンズ鏡筒の撮影光学系は、左側（光軸方向前方、物体側、或いは被写体側ともいう。以下同じ。）から順に、第１レンズ群Ｌ１、第２レンズ群Ｌ２、絞り部となるシャッタ(絞り)Ｓ、第３レンズ群Ｌ３、ローパスフィルタＦ、撮像部の一例となる固体撮像素子Ｃを備えている。
【００２２】
ここで、ズーミングは、第１レンズ群Ｌ１、第２レンズ群Ｌ２を光軸方向に所定量移動させることにより行う。フォーカシングは第３レンズ群Ｌ３を光軸方向に移動させることにより行う。
【００２３】
図２は、ズームレンズの沈胴状態における光軸上断面を示す図である。
図２において、沈胴させる場合、第１レンズ群Ｌ１、第２レンズ群Ｌ２とシャッタ（絞り）Ｓ、及び第３レンズ群Ｌ３が撮影状態より右側（光軸方向後方、像側、結像面側ともいう。以下同じ。）に後退するとともに、シャッタ(絞り)Ｓより光軸方向前方に位置する第２レンズ群Ｌ２は撮影光軸Ｚ１上から退避する。第２レンズ群Ｌ２が退避することによりできた撮影光軸Ｚ１上の空間に第１レンズ群Ｌ１が収まるため第１レンズ群Ｌ１と第２レンズ群Ｌ２が光軸方向に重複し、並列に配置される。したがって、沈胴時のズームレンズ鏡筒全長をその分短くすることができる。言い換えれば、レンズ沈胴時シャッタ（絞り）より前方のレンズの一部を光軸外に退避させ、他のレンズと光軸方向に重複させることにより、従来技術では利用できなかったシャッタ（絞り）より前方のレンズ周辺の空間が退避レンズ、退避機構用等に有効に利用でき、その結果ズームレンズ鏡筒が小型・薄型化できる。また、シャッタ(絞り)Ｓより光軸方向前方で第１レンズ群Ｌ１と第２レンズ群Ｌ２が光軸方向に重複し、並列に配置されるため、シャッタ(絞り)Ｓより光軸方向後方の空間を別の機器等を配置するために使用することができる。言い換えれば、レンズ沈胴時シャッタ（絞り）より前方のレンズの一部を光軸外に退避させ他のレンズと光軸方向に重複させることにより、後述するように、従来技術ではレンズの収納用に使用されていたシャッタ（絞り）より後方のレンズ、及び撮像素子周辺の空間にフォーカス駆動用等の部材が配置でき、その結果ズームレンズ鏡筒が小型・薄型化できる。
【００２４】
また、ズームレンズ鏡筒において、レンズ群の少なくとも一つを光軸方向に駆動する回転部材を有し、回転部材の回転軸が撮影光軸に対し偏心し、退避するレンズ群は偏心方向に退避するように構成される。各撮影光学系要素を保持、作動させるために回動、及び直進移動する各筒状部品の中心軸Ｚ２が撮影光軸Ｚ１に対して偏心しているため、撮影光軸Ｚ１周りの空間は回転非対称になっている。第２レンズ群Ｌ２が、撮影光軸Ｚ１に対する中心軸Ｚ２の偏心方向、すなわち、広い側の空間へ退避して第１レンズ群Ｌ１と第２レンズ群Ｌ２が光軸方向に重複（並列配置）するように構成されることにより、ズームレンズ鏡筒径を退避のために大きくさせなくとも構成することができる。
【００２５】
以下、第１レンズ群Ｌ１の保持と作動構造について説明する。
図３は、ズームレンズ鏡筒におけるレンズ群移動機構の主要部品分解斜視図である。
図１、図２、及び図３において、外側回転筒１６には外周面に雄ヘリコイド１６ａが形成され固定筒１１の内周面に形成された雌ヘリコイド１１ａと螺合している。外側回転筒１６の外周面にはさらに雄ヘリコイド１６ａと交差する形でギア１６ｂが一体的に形成され不図示の駆動ギアを介して不図示のズームモータの回転力を受けることにより、外側回転筒１６を固定筒１１に対して回動させながら直進させることができる。
【００２６】
また、外側回転筒１６の内周面には円周方向３等分に３本の直進ガイド溝１６ｃが形成され内側回転筒１２に植設された３本のフォロワピン１７を直進案内することにより、内側回転筒１２を外側回転筒１６と一体的に回動させることができる。また、フォロワピン１７は外側直進筒１５に形成された３本のカム溝１５ａを貫通しているため内側回転筒１２を回動中カム溝１５ａの軌跡にしたがって外側回転筒１６に対して光軸方向に相対的に移動させることができる。尚、外側直進筒１５は、外側回転筒１６に相対回転自在に保持され２本の直進キー１５ｂが固定筒１１に形成された２本の直進キー溝１１ｂにより回動を阻止されているため、外側直進筒１５は、光軸方向に回動しながら移動する外側回転筒１６の移動と一体的になりながらも回転せずに直進移動する。
【００２７】
また、内側回転筒１２の外周面には第１レンズ群Ｌ１を光軸方向に移動させるための３本のカム溝１２ａが形成されている。第１レンズ群Ｌ１は第１レンズ枠２０に保持され、第１レンズ枠２０は第１レンズ筒１３に保持されている。第１レンズ筒１３は２本の直進キー１３ａが外側直進筒１５に形成された２本の直進キー溝１５ｃにより回動を阻止され、また内側回転筒１２のカム溝１２ａに嵌合するフォロワピン１８を植設しているため、第１レンズ群Ｌ１を内側回転筒１２の回動によりカム溝１２ａの軌跡にしたがって光軸方向に回転せずに直進移動させることができる。
【００２８】
次に、第２レンズ群Ｌ２の保持と作動構造について説明する。
図４は、ズームレンズ鏡筒における第２レンズ群と第３レンズ群の主要部品分解斜視図である。
第２レンズ群Ｌ２は、撮影状態では撮影光軸Ｚ１上を移動可能に、また沈胴状態では撮影光軸Ｚ１外に退避可能なように保持されている。先ず、図１〜４を用いて、撮影状態における第２レンズ群Ｌ２の作動構造を説明する。
上述した内側回転筒１２の内周面には、第２レンズ群Ｌ２を光軸方向に移動させるための３本のカム溝１２ｂが形成されている。また、内側直進筒１４は、内側回転筒１２に相対回転自在に保持され、２本の直進キー１４ｃが外側直進筒１５に形成された２本の直進キー溝１５ｃにより回動を阻止されているため、内側直進筒１４は、移動光軸方向に回動しながら移動する内側回転筒１２の移動と一体的になりながらも回転せずに直進移動する。
【００２９】
第２レンズ群Ｌ２は、第２レンズ枠３０に保持され、第２レンズ枠３０は撮影状態では第２レンズ群Ｌ２が撮影光軸Ｚ１上に位置するように第２レンズ筒３１に保持されている。第２レンズ筒３１には３本のフォロワピン３４が植設されフォロワピン３４は内側直進筒１４に形成された３本の直進ガイド溝１４ａを貫通して内側回転筒１２のカム溝１２ｂに嵌合しているため、第２レンズ群Ｌ２は内側回転筒１２の回動によりカム溝１２ｂの軌跡にしたがって光軸方向に直進移動する。
【００３０】
図５は、ズームレンズ鏡筒における第３レンズ群の沈胴状態を示す図である。
図５（ａ）には、シャッタ（絞り）Ｓから光軸方向後方側を示している。また、図５（ｂ）には、図５（ａ）におけるＤ−Ｄ断面を示している。
【００３１】
図６は、ズームレンズ鏡筒における第２レンズ群の撮影時状態を示す図である。
図６（ａ）には、第２レンズ群から光軸方向後方側を示している。また、図６（ｂ）には、図６（ａ）における側面図を示している。
【００３２】
図７は、ズームレンズ鏡筒における第２レンズ群の沈胴時状態を示す図である。
図７（ａ）には、第２レンズ群から光軸方向後方側を示している。また、図７（ｂ）には、図７（ａ）における側面図を示している。
【００３３】
以下、図４から図７を用いて、撮影時の状態から沈胴時の状態に至る第２レンズ群Ｌ２の作動構造を説明する。
第２レンズ枠３０は、アーム部３０ａを一体的に形成し第２レンズ筒３１に植設された回転軸３２を中心として光軸と直行する方向に撮影光軸Ｚ１上に位置する撮影時状態と撮影光軸Ｚ１外に退避する沈胴時状態の間で揺動可能に軸支され、さらに不図示のばねにより撮影状態の方向に付勢されている。
【００３４】
第２レンズ枠３０は撮影時状態では前記ばねの付勢力によりストッパー部３０ｂが第２レンズ筒に植設されたストッパー軸３３に当接した状態になるため、第２レンズ群Ｌ２を撮影光軸Ｚ１上に位置させることができる。この状態から内側回転筒１２が沈胴方向に回動すると第２レンズ筒３１と内側直進筒１４が光軸方向に相対的に移動し第２レンズ枠３０は突起部３０ｃが内側直進筒１４に形成されたカム１４ｂに押圧されることによりアーム部３０ａを前記ばねの付勢力に抗して沈胴時状態の方向に揺動させることができる。その結果、沈動時状態では第２レンズ枠３０を撮影光軸Ｚ１外に退避させることができる。すなわち、第２レンズ群Ｌ２を撮影光軸Ｚ１外に退避させることができる。
【００３５】
なお、回転軸３２、及びストッパー軸３３は、第２レンズ筒３１への挿入部と回転軸部とストッパー部とを偏心させた構造にした偏心ピンにより構成することにより、組み立て時に、回転軸３２、及びストッパー軸３３それぞれを回転させることにより撮影光軸Ｚ１と直行する方向に、第２レンズ枠３０の位置を調節することができ、その結果、第２レンズ群Ｌ２の光軸を撮影光軸Ｚ１と一致させることができる。
【００３６】
また、シャッタ（絞り）Ｓは、開口部Ｓａを有し第２レンズ筒３１に一体的に保持される。そして、シャッタ、及び絞りを駆動するための駆動部の一例であるアクチュエータ部Ｓｍは、シャッタ、及び絞りの光軸方向後方（像側）に位置し、沈胴時状態ではＣＣＤ枠１０に固定保持された固体撮像素子Ｃに隣接する位置に第３レンズ群Ｌ３、ローパスフィルタＦ、及び固体撮像素子Ｃと光軸方向が重複する状態で並列に配置され収納される。第２レンズ群Ｌ２をシャッタ（絞り）Ｓよりも物体側で光軸から退避させ、第２レンズ群Ｌ２を光軸上の第１レンズ群Ｌ１と並列に配置することにより、シャッタ（絞り）Ｓよりも光軸方向後方の光軸外の空間を確保することができる。よって、かかる空間にアクチュエータ部Ｓｍを配置することによりズームレンズ鏡筒を薄型化することができる。特に、シャッタ（絞り）駆動用のアクチュエータ部Ｓｍを沈胴するレンズ群と光軸中心に対し、略直交する位置に配置し、アクチュエータ部Ｓｍの前方に退避するレンズ群（ここでは、第２レンズ群Ｌ２）の回転軸を配置したことにより、より効率的に薄型化することができる。
【００３７】
次に、第３レンズ群の保持と作動構造について説明する。
図４、及び図５に示すように、第３レンズ群Ｌ３は第３レンズ枠４０に保持され、第３レンズ枠４０は一体的に形成された軸受け部４０ａがＣＣＤ枠１０に植設されたガイド軸４１に嵌合し光軸方向に直進移動可能にガイド保持されている。また、第３レンズ枠４０は不図示のばねにより後方（像側）に付勢されている。
【００３８】
第３レンズ群Ｌ３を光軸方向に駆動する駆動部の一例であるフォーカスモータＭは、固体撮像素子Ｃに隣接する位置に、光軸上に配置された第３レンズ群Ｌ３、ローパスフィルタＦ、及び固体撮像素子Ｃと並列に光軸方向が重複する状態でＣＣＤ枠１０に固定保持されている。上述したように、第２レンズ群Ｌ２をシャッタ（絞り）Ｓよりも物体側で光軸から退避させ、第２レンズ群Ｌ２を光軸上の第１レンズ群Ｌ１と並列に配置することにより、シャッタ（絞り）Ｓよりも光軸方向後方の光軸外の空間を確保することができたため、かかる空間にフォーカスモータＭを配置することによりズームレンズ鏡筒を薄型化することができる。
【００３９】
また、フォーカスモータＭのシャフトＭａはシャッタ（絞り）Ｓの切り欠き部Ｓｂを光軸方向に貫通しているため、沈胴時状態ではシャフトＭａと、光軸上のシャッタ（絞り）Ｓ、及び第１レンズ群Ｌ１とが並列に配置され、光軸方向に重複する。シャフトＭａには、ねじが一体的に形成されるとともにナット４２が螺合し、シャフトＭａが回転するとナット４２が光軸方向に移動する。第３レンズ枠４０に一体的に形成された環状突起部４０ｂはナット４２に前方（物体側）から当接しているため、ナット４２の移動にしたがって第３レンズ群Ｌ３を光軸方向に移動させることができる。よって、第３レンズ群Ｌ３を光軸方向に移動させることによりフォーカシングを行うことができる。
【００４０】
以上のように、シャッタ（絞り）駆動用のアクチュエータ（アクチュエータ部Ｓｍ）とフォーカス駆動用のアクチュエータ（フォーカスモータＭ）の少なくとも一方を沈胴する第３レンズ群Ｌ３と光軸中心に対し略直交する位置に配置した。よって、ズームレンズ鏡筒を薄型化することができる。特に、フォーカス駆動用のアクチュエータのシャフト部が、シャッタ（絞り）Ｓより前方側のレンズ群、及びシャッタ（絞り）Ｓと光軸方向に対し、並列に配置されることで重複し、フォーカス駆動用のアクチュエータの胴体部がシャッタ（絞り）Ｓより後方側のレンズ群、及び撮像素子と光軸方向に対し、並列に配置されることで重複するように配置したことで、より効率的に薄型化を向上させることができる。
【００４１】
第３群レンズ位置検出素子Ｐは、発光部と受光部を有する光学式センサー（ＰＩ）を用い、固体撮像素子Ｃに隣接し第２レンズ群Ｌ２後方（像側）の位置に、光軸上の固体撮像素子Ｃと並列に光軸方向が重複する状態でＣＣＤ枠１０に固定保持されている。第３レンズ枠４０には、ＰＩ遮光部４０Ｃが一体的に形成され、沈胴時状態では第３レンズ位置検出素子Ｐの発光部と受光部の間に進入し、撮影時状態では退避することにより第３群レンズ位置検出素子Ｐの電気信号を変化させることができる。よって、第３レンズ群Ｌ３の位置を検出することができる。以上のように、沈胴するレンズ群の後方位置であり撮像素子に隣接する位置にフォーカスレンズ位置検出用のセンサー（第３群レンズ位置検出素子Ｐ）を配置した。よって、ズームレンズ鏡筒を薄型化することができる。
【００４２】
以上のように、第２レンズ群Ｌ２をシャッタ（絞り）Ｓよりも物体側で光軸から退避させ、第２レンズ群Ｌ２を光軸上の第１レンズ群Ｌ１と並列に配置することにより、シャッタ（絞り）Ｓよりも光軸方向後方の光軸外の空間を確保することができたため、かかる空間に、位置検出素子ＰやＰＩ遮光部４０Ｃといった機器を配置することができ、ズームレンズ鏡筒を薄型化することができる。
【００４３】
以上のように、本実施の形態では、レンズ退避タイプの沈胴式ズームレンズ鏡筒において径、収納時厚みが更に小型化できるよう退避レンズ、及びその他関連部材を効率よく配置・構成することができる。
【図面の簡単な説明】
【００４４】
【図１】ズームレンズの撮影状態における光軸上断面を示す図である。
【図２】ズームレンズの沈胴状態における光軸上断面を示す図である。
【図３】ズームレンズ鏡筒におけるレンズ群移動機構の主要部品分解斜視図である。
【図４】ズームレンズ鏡筒における第２レンズ群と第３レンズ群の主要部品分解斜視図である。
【図５】ズームレンズ鏡筒における第３レンズ群の沈胴状態を示す図である。
【図６】ズームレンズ鏡筒における第２レンズ群の撮影時状態を示す図である。
【図７】ズームレンズ鏡筒における第２レンズ群の沈胴時状態を示す図である。
【符号の説明】
【００４５】
１０  ＣＣＤ枠
１１  固定筒
１１ａ  雌ヘリコイド
１１ｂ  直進キー溝
１２  内側回転筒
１２ａ  カム溝
１２ｂ  カム溝
１３  第１レンズ筒
１３ａ  直進キー
１４  内側直進筒
１４ａ  直進ガイド溝
１４ｂ  カム
１４ｃ  直進キー
１５  外側直進筒
１５ａ  カム溝
１５ｂ  直進キー
１５ｃ  直進キー溝
１６  外側回転筒
１６ａ  雄ヘリコイド
１６ｂ  ギア
１６ｃ  直進ガイド溝
１７  フォロワピン
１８  フォロワピン
２０  第１レンズ枠
３０  第２レンズ枠
３０ａ  アーム部
３０ｂ  ストッパー部
３０ｃ  突起部
３１  第２レンズ筒
３２  回転軸
３３  ストッパー軸
３４  フォロワピン
４０  第３レンズ枠
４０ａ  軸受け部
４０ｂ  環状突起部
４０ｃ  ＰＩ遮光部
４１  ガイド軸
４２  ナット
【図１】
2006235297.tif 000003
【図２】
2006235297.tif 000004
【図３】
2006235297.tif 000005
【図４】
2006235297.tif 000006
【図５】
2006235297.tif 000007
【図６】
2006235297.tif 000008
【図７】
2006235297.tif 000009